(57)【特許請求の範囲】
【請求項１】
スライドつまみと、
前記スライドつまみを取り付けるつまみ取付部と、つまみ取付部の外周を囲む枠体と、つまみ取付部と枠体間を枠体に対してつまみ取付部が所定の方向にスライド自在となるように連結する可撓性を有するアーム部とを有してなるつまみ保持部材と、を具備し、
前記枠体中に複数のスイッチ押圧部を設け、
一方前記スライドつまみにこのスライドつまみがスライド移動した際に前記何れかのスイッチ押圧部を押圧する押圧部を設け、
前記スイッチ押圧部の前記スライドつまみの押圧部が押圧する押圧面を、その押圧方向に対して傾斜する傾斜面とし、これによって前記スライドつまみの押圧部が前記押圧面を押圧することでスイッチ押圧部を前記押圧方向に対して交叉する方向に移動させると共に、
前記スイッチ押圧部が移動した位置にスイッチを配置することで、スライドつまみのスライド方向に応じた出力を得ることを特徴とする多方向スライド式電子部品。
【請求項２】
前記つまみ保持部材を構成するつまみ取付部と枠体とアーム部は、弾性体によって一体に形成されていることを特徴とする請求項１に記載の多方向スライド式電子部品。
【請求項３】
前記つまみ保持部材はスライドつまみと共に矩形状のケース内に収納され、
前記つまみ保持部材の枠体は、前記ケースの４隅に設置される支持部と、各支持部間を連結する可撓性を有する連結部と、連結部の途中に設けられる前記スイッチ押圧部とを具備して構成され、
前記アーム部は、枠体の内部に位置する前記つまみ取付部を、前記各支持部に対角線状に連結するように形成され、
一方前記スライドつまみは、前記つまみ取付部の上面に設置され、その外周から前記各スイッチ押圧部の押圧面に対向する位置に延びる突出部を突出して設け、各突出部の先端を前記押圧部としたことを特徴とする請求項１又は２に記載の多方向スライド式電子部品。
【請求項４】
前記スイッチは、前記つまみ保持部材の下面側に設置したスイッチ基板の前記各スイッチ押圧部に対向する位置に設けられ、
且つこのスイッチ基板の前記つまみ取付部に対向する位置に、つまみ取付部に取り付けた前記スライドつまみによって押圧される押釦スイッチを設けたことを特徴とする請求項１又は２又は３に記載の多方向スライド式電子部品。
【発明の詳細な説明】
【技術分野】
【０００１】
本発明は、電子機器の入力装置等に用いて好適な多方向スライド式電子部品に関するものである。
【背景技術】
【０００２】
従来、各種携帯機器等の中には、操作つまみを平面上で多方向にスライド移動させることで所望の出力を得るものがある（特許文献１参照）。図９はこの種の多方向スライド式電子部品の１例を示す図である。同図（ａ）に示すようにこの多方向スライド式電子部品５００は、ケース５１０内に弾性体を枠形状であって中央に矩形状の開孔５３１を設け且つその４隅に外方に延びるアーム部５３３を設けてなる弾性支持部材５３０を収納し、弾性支持部材５３０の開孔５３１内にスライドつまみ５５０を収納し、また弾性支持部材５３０の外周側の４面にそれぞれ導電体５３５を取り付け、ケース５１０の内面の各導電体５３５に対向する位置にそれぞれ一対のスイッチ５３７を設置して構成されている。そして図９（ｂ）に示すようにスライドつまみ５５０を１方向にスライド移動させると、弾性支持部材５３０が変形することでスライド移動した側の導電体５３５がスイッチ５３７に当接しこれをオンする。前記スライドつまみ５５０への押圧を解除すると、弾性支持部材５３０の元の形への弾性復帰力で、スライドつまみ５５０は図９（ａ）に示す元の中立位置に自動復帰する。
【０００３】
しかしながら上記従来の多方向スライド式電子部品５００においては、以下のような問題点があった。
（１）スライドつまみ５５０は枠形状の弾性支持部材５３０の開孔５３１内に保持されているだけなので、スライドつまみ５５０をスライド移動した後のスライドつまみ５５０の中立位置への自動復帰力は強くなく自動復帰時のスライドつまみ５５０の動きが緩慢で、スライドつまみ５５０の早急且つスムーズな自動復帰が望まれる場合にはその要望に答えられなかった。
（２）弾性支持部材５３０のアーム部５３３はケース５１０内に固定されておらず、またスライドつまみ５５０は枠形状の弾性支持部材５３０の開孔５３１内に保持されているだけで固定されていないので、スライドつまみ５５０をスライド移動させた際にその移動にふらつきが生じ易く、その動きが不正確になってしまう恐れがあった。
（３）ケース５１０の内周壁面にスイッチ５３７を設ける必要があるため、構造が複雑となり、小型化・薄型化が阻害されてしまう。
【特許文献１】特開２００３−３１０７６号公報
【発明の開示】
【発明が解決しようとする課題】
【０００４】
本発明は上述の点に鑑みてなされたものでありその目的は、スライドつまみの中立位置への自動復帰力が早急且つスムーズに行えると共に、スライドつまみの移動時の動きが確実にスムーズに行えてふらつくことなく、さらに部品点数が少なく構造が簡単で小型・薄型化を図ることができる多方向スライド式電子部品を提供することにある。
【課題を解決するための手段】
【０００５】
本願請求項１に記載の発明は、スライドつまみと、前記スライドつまみを取り付けるつまみ取付部と、つまみ取付部の外周を囲む枠体と、つまみ取付部と枠体間を枠体に対してつまみ取付部が所定の方向にスライド自在となるように連結する可撓性を有するアーム部とを有してなるつまみ保持部材と、を具備し、前記枠体中に複数のスイッチ押圧部を設け、一方前記スライドつまみにこのスライドつまみがスライド移動した際に前記何れかのスイッチ押圧部を押圧する押圧部を設け、前記スイッチ押圧部の前記スライドつまみの押圧部が押圧する押圧面を、その押圧方向に対して傾斜する傾斜面とし、これによって前記スライドつまみの押圧部が前記押圧面を押圧することでスイッチ押圧部を前記押圧方向に対して交叉する方向に移動させると共に、前記スイッチ押圧部が移動した位置にスイッチを配置することで、スライドつまみのスライド方向に応じた出力を得ることを特徴とする多方向スライド式電子部品にある。
【０００６】
本願請求項２に記載の発明は、前記つまみ保持部材を構成するつまみ取付部と枠体とアーム部は、弾性体によって一体に形成されていることを特徴とする請求項１に記載の多方向スライド式電子部品にある。
【０００７】
本願請求項３に記載の発明は、前記つまみ保持部材はスライドつまみと共に矩形状のケース内に収納され、前記つまみ保持部材の枠体は、前記ケースの４隅に設置される支持部と、各支持部間を連結する可撓性を有する連結部と、連結部の途中に設けられる前記スイッチ押圧部とを具備して構成され、前記アーム部は、枠体の内部に位置する前記つまみ取付部を、前記各支持部に対角線状に連結するように形成され、一方前記スライドつまみは、前記つまみ取付部の上面に設置され、その外周から前記各スイッチ押圧部の押圧面に対向する位置に延びる突出部を突出して設け、各突出部の先端を前記押圧部としたことを特徴とする請求項１又は２に記載の多方向スライド式電子部品にある。
【０００８】
本願請求項４に記載の発明は、前記スイッチは、前記つまみ保持部材の下面側に設置したスイッチ基板の前記各スイッチ押圧部に対向する位置に設けられ、且つこのスイッチ基板の前記つまみ取付部に対向する位置に、つまみ取付部に取り付けた前記スライドつまみによって押圧される押釦スイッチを設けたことを特徴とする請求項１又は２又は３に記載の多方向スライド式電子部品にある。
【発明の効果】
【０００９】
請求項１に記載の発明によれば、スライドつまみをつまみ保持部材のつまみ取付部に取り付けており、且つつまみ取付部と枠体間をアーム部によって連結しているので、スライドつまみの中立位置への自動復帰力が強く、その自動復帰が早急且つスムーズに行えると共に、スライドつまみの移動時の動きがふらつくことなくスムーズ且つ確実に行える。またスイッチをスライドつまみの押圧部の押圧方向に対して交叉する方向に設置することができるので、スイッチをスイッチ押圧部の外側に設置しなくても良く、この多方向スライド式電子部品の外形の小型化が図れる。また多方向スライド式電子部品を構成する部品点数が少なく、構造が簡単で、小型・薄型化を図ることができる。
【００１０】
請求項２に記載の発明によれば、つまみ保持部材を構成するつまみ取付部と枠体とアーム部とを一体に形成したので、構造を簡素化することができる。
【００１１】
請求項３に記載の発明によれば、つまみ保持部材に支持部を設けたので、つまみ保持部材をスライドつまみと共に容易且つ確実にケース内に収納することができる。またつまみ取付部をアーム部によって各支持部に対角線状に連結するようにしたので、スライドつまみを容易且つふらつくことなく確実且つ早急且つスムーズに多方向にスライド移動するように保持することができる。またスライドつまみに突出部を設けてその先端を押圧部としたので、つまみ取付部上面に設置されたスライドつまみによる各スイッチ押圧部の押圧面の押圧が容易に行える。
【００１２】
請求項４に記載の発明によれば、スイッチ基板上に、スイッチと押釦スイッチとを設けることができ、それぞれを別のスイッチ基板等に設ける場合に比べて部品点数を少なくでき構造が簡単になり小型・薄型化を図ることができる。
【発明を実施するための最良の形態】
【００１３】
以下、本発明の実施形態を図面に基づいて詳細に説明する。
図１，図２は本発明の１実施形態にかかる多方向スライド式電子部品１の分解斜視図であり、両図を合せて１つの分解斜視図となっている。両図に示すように多方向スライド式電子部品１は、ケース（以下この実施形態では「下ケース」という）１１０上に、スイッチ基板１００と、摺動シート９０と、つまみ保持部材６０と、スライドつまみ３０と、ケース（以下この実施形態では「上ケース」という）１０とを取り付けて構成されている。以下各構成部品について説明する。
【００１４】
上ケース１０は金属板（この実施形態ではステンレス板）を下面が開放された矩形状の箱型に形成することで構成されており、具体的には矩形状の上面部１１の外周４辺に下方向に向かう側壁部１３を設けて構成されている。上面部１１の中央には略十字型に貫通するつまみ挿通ガイド部１５が設けられ、また上面部１１の４隅近傍には貫通する小孔からなる挿通部１７が設けられている。
【００１５】
図３はスライドつまみ３０を下面側から見た斜視図である。図１，図３に示すように、スライドつまみ３０は合成樹脂（例えば熱可塑性合成樹脂であるＡＢＳ樹脂やＰＢＴ樹脂やＰＯＭ樹脂等）の成形品であり、略円板状の基部３１の上面中央から上方向に向かって柱状のつまみ部３３を立設し、また基部３１の外周から等間隔（９０°間隔）に四本の平板帯状の突出部３５を突出し、各突出部３５の先端面を押圧部３７とし、また基部３１の下面中央に下方向に向かってスイッチ押圧部３９を突出して構成されている。つまみ部３３は四角柱状であってその上端面には操作つまみ１３０（図５参照）取付用の係合穴４１が設けられている。押圧部３７は突出部３５の先端面を下方向（つまみ保持部材６０方向）に向かってスライドつまみ３０の中央に近づく方向の傾斜面として構成されている。各押圧部３７の下端辺中央には小突起状に突出するスライド部４３が設けられている。各押圧部３７の上部の突出部３５の上面にも小円弧状に突出するスライド部４５が設けられている。またスイッチ押圧部３９は基部３１の下面中央から突出する小突起によって構成され、その根元部分の外周からは等間隔に複数（４つ）の係合部４７を突出している。
【００１６】
図４はつまみ保持部材６０を下面側から見た斜視図である。図１，図４に示すようにつまみ保持部材６０は、前記スライドつまみ３０を取り付けるつまみ取付部６１と、つまみ取付部６１の外周を囲む枠体６３と、つまみ取付部６１と枠体６３間を枠体６３に対してつまみ取付部６１が同一面内の多方向にスライド自在となるように連結する可撓性を有する４本のアーム部６５とを有し、これら各構成部分を絶縁性の弾性体（この実施形態では絶縁性の合成ゴムであるシリコンゴムを用いている）によって一体成形して構成されている。
【００１７】
つまみ取付部６１は薄板円板状であって、その外径寸法は前記スライドつまみ３０の基部３１の外径寸法と略同一に形成され、その中央には前記スライドつまみ３０のスイッチ押圧部３９及び係合部４７を嵌合する略十字形状の貫通する挿入部６７が設けられている。
【００１８】
枠体６３は前記つまみ取付部６１の周囲を矩形状に囲む形状に形成され、その４隅に設置される支持部６９と、各支持部６９間を連結する可撓性を有する連結部７１とを具備している。連結部７１の途中（中央）にはスイッチ押圧部７３が設けられ、スイッチ押圧部７３の下面には導電体７５が設けられている。支持部６９は柱状であり、その中央には上下に貫通する支持孔７７が設けられている。各支持孔７７は前記上ケース１０の各挿通部１７に対向する位置に各挿通部１７よりも大径に形成されている。４本の連結部７１は全体として各支持部６９間を矩形状に連結するように取り付けられ、平板帯状で可撓性を有するように肉薄に形成されている。そして各連結部７１の中央に前記スイッチ押圧部７３が設けられている。スイッチ押圧部７３はその長手方向を連結部７１の長手方向と一致させた略矩形の柱状に形成されており、それらの内側面（つまみ取付部６１側を向く面）に前記スライドつまみ３０の押圧部３７によって押圧される押圧面７９を形成している。押圧面７９は下方向（スイッチ基板１００方向）に向かってつまみ取付部６１の中央に近づく方向の傾斜面となっており、前記押圧部３７の傾斜面と同一方向に傾斜する傾斜面となっている。スイッチ押圧部７３の下面にはその略全体を覆う面積の導電体７５が設けられている。導電体７５は矩形状の導電性ゴムの平板によって構成されている。導電体７５の下面はその両側の連結部７１の下面よりも上方に位置するように、両側の連結部７１によって少し上方に持ち上げられている。導電体７５はつまみ保持部材６０を成形する際の金型内に予め設置しておくことで、つまみ保持部材６０の成形時に一体成形される。
【００１９】
アーム部６５は薄板帯状の平板であって、より可撓性を持たせるためにその中間において平板を上下方向に波打つように湾曲変形させている。各アーム部６５は、枠体６３の内部に位置するつまみ取付部６１と各支持部６９間を、各支持部６９に対して対角線状に連結している。
【００２０】
摺動シート９０は、可撓性を有する絶縁性の合成樹脂フイルムを略矩形状に形成して構成されており、その４隅から舌片状の突出部９１を突出し、それらの内部に円形の貫通する取付部９３を設けて構成されている。各取付部９３は、前記つまみ保持部材６０の各支持孔７７に対向する位置に各支持孔７７とほぼ同一径に形成されている。この摺動シート９０は、例えば合成樹脂フイルム上にフッ素樹脂をコーティングすることで、その表面に当接する前記スライドつまみ３０のスライド部４３やスイッチ押圧部３９が抵抗なく摺動できるようにしている。なお摺動シート９０はその表面が滑らかなものであれば、他の各種材質・構造のシートを用いても良い。
【００２１】
スイッチ基板１００は、可撓性を有する絶縁性の合成樹脂フイルム（この実施形態ではポリエチレンテレフタレートフイルム）を略矩形状に形成してなる絶縁基板１０１の表面中央に押釦スイッチ１０３を設け、その周囲の各辺に沿う其々の中央位置に一対ずつの接点パターン１０７からなるスイッチ１０５を設け、その４隅に円形に貫通する取付挿通部１０９を設けて構成されている。押釦スイッチ１０３は、下記する図６に示すように、一対の接点パターン１０３ａ，ｂ上に反転板（この実施形態では可動接点板）１０３ｃを取り付けて構成されている。反転板１０３ｃは摺動シート９０をスイッチ基板１００上に貼り付けることで固定される。言い換えれば摺動シート９０は反転板１０３ｃの貼付け用シートを兼用している。各取付挿通部１０９は、前記つまみ保持部材６０の各支持孔７７に対向する位置に各支持孔７７とほぼ同一径で形成されている。絶縁基板１０１の外周には引出部１０３が一体に接続されており、前記押釦スイッチ１０３や各スイッチ１０５から引き出されている図示しない回路パターンをこの引出部１０３に引き出している。
【００２２】
下ケース１１０は、合成樹脂（例えば熱可塑性合成樹脂であるＡＢＳ樹脂やＰＢＴ樹脂やＰＯＭ樹脂等）を略矩形の板状であって、その上面の４隅から上方向に向けて円柱状の固定部１１１を突出するように成形して構成されている。各固定部１１１の上端面にはさらにその外径を小さくした挿入部１１３が設けられている。各固定部１１１は、前記つまみ保持部材６０の各支持孔７７に対向する位置に設けられ、各固定部１１１の外径は各支持孔７７がちょうど挿入できる寸法に形成され、また前記挿入部１１３の外径は前記上ケース１０の挿通部１７がちょうど挿入できる寸法に形成されている。
【００２３】
次にこの多方向スライド式電子部品１を組み立てるには、まずつまみ保持部材６０のつまみ取付部６１上にスライドつまみ３０の基部３１を接着材によって接着・載置し、つまみ保持部材６０の挿入部６７にスライドつまみ３０のスイッチ押圧部３９を挿入する。このときスイッチ押圧部３９の周囲に設けた略十字形状の係合部４７を略十字形状の挿入部６７に嵌合する。次に下ケース１１０上に、スイッチ基板１００と、摺動シート９０と、前記スライドつまみ３０を取り付けたつまみ保持部材６０とを載置する。その際、下ケース１１０に設けた各固定部１１１を、スイッチ基板１００の各取付挿通部１０９と、摺動シート９０の各取付部９３と、つまみ保持部材６０の各支持孔７７とに挿入する。摺動シート９０はスイッチ基板１００上に摺動シート９０の下面に設けた接着層で貼り付けられる（必ずしも貼り付けなくても良い）。次にその上に上ケース１０を被せ、その際、スライドつまみ３０のつまみ部３３をつまみ挿通ガイド部１５に挿入するとともに、下ケース１１０の各挿入部１１３を上ケース１０の各挿通部１７に挿入する。次に上ケース１０上に突出する各挿入部１１３の先端を熱カシメすることで上ケース１０を下ケース１１０に固定する。そして上ケース１０上に図５に示す操作つまみ１３０を設置して上ケース１０から突出するスライドつまみ３０のつまみ部３３を操作つまみ１３０の下面中央に設けた図示しない穴に嵌合して固定すれば、図５に示す多方向スライド式電子部品１が完成する。
【００２４】
図６は多方向スライド式電子部品１の中央部分を切断した断面斜視図である（但し、操作つまみ１３０の記載は省略）。同図においてスライドつまみ３０のつまみ部３３を同一平面上で直交するＸ軸又はＹ軸方向（挿通ガイド部１５の十字の方向）に押圧すると、つまみ部３３が上ケース１０のつまみ挿通ガイド部１５内を移動することで押圧された方向にスライド移動する。このときスライドつまみ３０に設けたスライド部４３が滑らかな表面を有する摺動シート９０上を摺動するのでそのスライド移動には抵抗が少なく、スムーズなスライド移動が行える。なおスライド部４３は静止状態では摺動シート９０の上面には当接しないで少し浮いているが、スライドつまみ３０を移動する際にスライドつまみ３０が少し傾くと摺動シート９０の上面に当接する。そしてスライドつまみ３０が移動していく方向を向く突出部３５の先端の押圧部３７の傾斜面が、これに対向するスイッチ押圧部７３の押圧面７９に当接し、このスイッチ押圧部７３の両側の連結部７１が撓むことでスイッチ押圧部７３は前記押圧方向に交叉（直交）する下方向に移動する。これによってスイッチ押圧部７３の真下に取り付けている導電体７５がこれに対向するスイッチ基板１００上の一対の接点パターン１０７に同時に当接し、スイッチ１０５を導通（オン）する。前記つまみ部３３への押圧を解除すれば、スライドつまみ３０を移動したことで撓んでいた４本のアーム部６５の元の形状に戻ろうとする復帰力によってスライドつまみ３０はつまみ取付部６１と一体に元の位置、つまり枠体６３の中央に自動復帰し、同時に押圧部３７による押圧面７９の押圧が解除され且つ連結部７１が元の形状に戻る力によってスイッチ押圧部７３が上昇し、その導電体７５がスイッチ１０５から離れ、スイッチ１０５がオフする。つまりこの多方向スライド式電子部品１によれば、スライドつまみ３０のスライド方向に応じた出力を得ることができる。
【００２５】
以上のように本実施形態にかかる多方向スライド式電子部品１は、スライドつまみ３０と、スライドつまみ３０を取り付けるつまみ取付部６１とつまみ取付部６１の外周を囲む枠体６３とつまみ取付部６１と枠体６３間を枠体６３に対してつまみ取付部６１が所定の方向（この実施形態では同一面内の多方向）にスライド自在となるように連結する可撓性を有するアーム部６５とを有してなるつまみ保持部材６０とを具備し、前記枠体６３中に複数のスイッチ押圧部７３を設け、一方スライドつまみ３０にこのスライドつまみ３０がスライド移動した際に何れかのスイッチ押圧部７３を押圧する押圧部３７を設け、さらにスライドつまみ３０の押圧部３７によって押圧されて移動したスイッチ押圧部７３（その導電体７５）が当接する位置にスイッチ１０５を配置して構成されている。つまりこの実施形態によれば、多方向スライド式電子部品１を構成する部品点数が少なくて済み、このことから多方向スライド式電子部品１の構造が簡単で、その小型・薄型化を図ることができる。
【００２６】
またこの多方向スライド式電子部品１においては、スライドつまみ３０をつまみ保持部材６０のつまみ取付部６１に取り付けており、且つつまみ取付部６１と枠体６３間をアーム部６５によって連結しているので、スライドつまみ３０の中立位置への自動復帰力が強く、その自動復帰が早急且つスムーズに行えると共に、スライドつまみ３０の移動時の動きがふらつくことなくスムーズ且つ確実に行える。またスイッチ１０５をスライドつまみ３０の押圧部３７の押圧方向に対して交叉する方向に設置することができるので、スイッチ１０５をスイッチ押圧部７３の外側に設置しなくても良く、この多方向スライド式電子部品１の外形の小型化が図れる。
【００２７】
またこの多方向スライド式電子部品１においては、スイッチ押圧部７３のスライドつまみ３０の押圧部３７が押圧する押圧面７９を、その押圧方向に対して傾斜する傾斜面とし、これによってスライドつまみ３０の押圧部３７が押圧面７９を押圧することでスイッチ押圧部７３が押圧方向に対して交叉する方向に移動するように構成しているので、スイッチ１０５をスライドつまみ３０の押圧部３７の押圧方向に対して交叉する方向（この実施形態ではスイッチ押圧部７３の下側であるが、スイッチ押圧部７３の上側でもよい）に設置できる。即ちスイッチ１０５をスイッチ押圧部７３の外側（枠体６３の外周側）に設置しなくても良くなり、この多方向スライド式電子部品１の外形の小型化が図れる。
【００２８】
またこの多方向スライド式電子部品１においては、つまみ保持部材６０はスライドつまみ３０と共に矩形状のケース（上下ケース）１０，１１０内に収納され、つまみ保持部材６０の枠体６３は、ケース１０，１１０の４隅に設置される支持部６９と、各支持部６９間を連結する可撓性を有する連結部７１と、連結部７１の途中に設けられるスイッチ押圧部７３とを具備して構成され、アーム部６５は、枠体６３の内部に位置するつまみ取付部６１を、各支持部６９に対角線状に連結するように形成され、一方スライドつまみ３０は、つまみ取付部６１の上面に設置され、その外周から各スイッチ押圧部７３の押圧面７９に対向する位置に延びる突出部３５を突出して設け、各突出部３５の先端を押圧部３７としている。そして上述のようにつまみ保持部材６０に支持部６９を設けたので、支持部６９をケース１０，１１０の４隅に配置することで容易且つ確実につまみ保持部材６０をスライドつまみ３０と共にケース１０，１１０内に収納することができる。またスイッチ押圧部７３の下面に導電体７５を形成したので、スイッチ押圧部７３の下側に設置したスイッチ１０５に容易に対向させることができる。またつまみ取付部６１をアーム部６５によって各支持部６９に対角線状に連結したので、スライドつまみ３０を容易且つふらつくことなく確実且つ早急且つスムーズに多方向にスライド移動するように保持することができる。またこの実施形態のように前記対角線状に連結した各アーム部６５に対してそれぞれのアーム部６５の中間方向に向かってスライドつまみ３０をスライド移動するように構成すれば、圧縮又は引き伸ばされる各アーム部６５の力がスライド方向に対して左右対称となり、スライドつまみ３０はスライド方向に対して左右に移動することなく、ふらつくことなく確実にスライド方向に向かって移動でき、また確実にスライド方向に向かって自動復帰させることができる。またスライドつまみ３０に突出部３５を設けてその先端を押圧部３７としたので、つまみ取付部６１上面に設置されたスライドつまみ３０による各スイッチ押圧部７３の押圧面７９の押圧が容易に行える。
【００２９】
またこの多方向スライド式電子部品１においては、スイッチ１０５は、つまみ保持部材６０の下面側に設置したスイッチ基板１００の各スイッチ押圧部７３に対向する位置に設けられ、一方このスイッチ基板１００のつまみ取付部６１に対向する位置に、つまみ取付部６１に取り付けたスライドつまみ３０によって押圧される押釦スイッチ１０３を設けている。これによってスイッチ基板１００上に、スイッチ１０５と押釦スイッチ１０３とを設けることができ、それぞれを別のスイッチ基板等に設ける場合に比べて部品点数を少なくでき構造が簡単になりこの点からも多方向スライド式電子部品１の小型・薄型化を図ることができる。
【００３０】
図７は本発明の他の実施形態にかかるスイッチ基板１００−２を示す斜視図である。このスイッチ基板１００−２は前記スイッチ基板１００に代えて使用するものであり、前記図１，図２に示す他の各構成部品と共に多方向スライド式電子部品１を構成できるものである。即ちこのスイッチ基板１００−２は、可撓性を有する絶縁性の合成樹脂フイルム（この実施形態ではポリエチレンテレフタレートフイルム）を略矩形状に形成してなる一対の絶縁基板１０１−２ａ，１０１−２ｂの対向する側の面の対向する位置にそれぞれスイッチ接点パターンを設け、絶縁層又は絶縁フイルムからなるスペーサを介してこれらスイッチ接点パターンを所定の間隙を介して対向することで、その中央に押釦スイッチ１０３−２、その周囲の各辺に沿う其々の中央位置にスイッチ１０５−２を設け、またその４隅に円形に貫通する取付挿通部１０９−２を設けて構成されている。即ち押釦スイッチ１０３−２とスイッチ１０５−２はいわゆるメンブレンスイッチである。押釦スイッチ１０３−２上に、反転板（この実施形態ではクリック板）１０３ｃ−２を取り付けている点や、各取付挿通部１０９−２が前記つまみ保持部材６０の各支持孔７７に対向する位置に各支持孔７７とほぼ同一径で形成されている点や、絶縁基板１０１−２ｂの外周に引出部１０３−２が一体に接続されて前記押釦スイッチ１０３−２や各スイッチ１０５−２から引き出されている図示しない回路パターンがこの引出部１０３−２に引き出されている点などは、前記スイッチ基板１００と同様である。なお反転板１０３ｃ−２は必ずしも必要ない。このように構成されたスイッチ基板１００−２でも、前記スイッチ基板１００と同様の機能を発揮することはいうまでもない。
【００３１】
図８は前記スイッチ基板１００−２に対応して変形したつまみ保持部材６０−２をその下面側から見た斜視図である。同図において前記つまみ保持部材６０と同一部分には同一符号を付して（但し「−２」の符号を付す）その説明は省略する。同図に示すつまみ保持部材６０−２において、前記つまみ保持部材６０と相違する点は、前記つまみ保持部材６０においてスイッチ押圧部７３の下面に設けた導電体７５を省略し、このつまみ保持部材６０−２では各スイッチ押圧部７３−２の下面に下方向に向かって突出する柱状の押圧部７６−２を設けた点のみである。これら押圧部７６−２はそれぞれ前記スイッチ基板１００−２の各スイッチ１０５−２に対向する位置に設けられ、スイッチ押圧部７３−２が下方向に移動することで押圧部７６−２がスイッチ１０５−２を押圧してこれをオンする。なおスイッチ１０５−２を押圧できるのであれば、必ずしも押圧部７６−２は設けなくても良い。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えばつまみ保持部材６０を構成するつまみ取付部６１と枠体６３とアーム部６５とは、必ずしも一体に成形する必要はなく、必要に応じて別部材で構成してこれらを連結しても良い。また上記実施形態では押圧部３７を傾斜面とし、同時にスイッチ押圧部７３の押圧面７９も傾斜面としたが、何れか一方のみを傾斜面としても良い。上記実施形態では、アーム部６５をつまみ取付部６１が各支持部６９に対角線状に連結されるように設置したが、要はつまみ取付部６１と枠体６３間を枠体６３に対してつまみ取付部６１が多方向にスライド自在となるように連結する可撓性を有するアーム部６５であれば、他の各種連結構造であっても良い。上記実施形態では、スイッチ１０５，１０５−２の上に反転板を取り付けなかったが、押釦スイッチ１０３，１０３−２と同様に反転板を取り付けてこれらがオンする際にクリック感覚を生じるようにしても良い。
【図面の簡単な説明】
【００３３】
【図１】多方向スライド式電子部品１の分解斜視図（上側部分）である。
【図２】多方向スライド式電子部品１の分解斜視図（下側部分）である。
【図３】スライドつまみ３０を下面側から見た斜視図である。
【図４】つまみ保持部材６０を下面側から見た斜視図である。
【図５】多方向スライド式電子部品１の斜視図である。
【図６】多方向スライド式電子部品１の断面斜視図である。
【図７】スイッチ基板１００−２を示す斜視図である。
【図８】つまみ保持部材６０−２を下面側から見た斜視図である。
【図９】従来の多方向スライド式電子部品５００の１例を示す図である。
【符号の説明】
【００３４】
１  多方向スライド式電子部品
１０  上ケース（ケース）
１５  つまみ挿通ガイド部
３０  スライドつまみ
３１  基部
３３  つまみ部
３５  突出部
３７  押圧部
３９  スイッチ押圧部
６０  つまみ保持部材
６１  つまみ取付部
６３  枠体
６５  アーム部
６９  支持部
７１  連結部
７３  スイッチ押圧部
７５  導電体
７９  押圧面
９０  摺動シート
１００  スイッチ基板
１０３  押釦スイッチ
１０５  スイッチ
１１０  下ケース（ケース）
１００−２  スイッチ基板
１０３−２  押釦スイッチ
１０５−２  スイッチ
６０−２  つまみ保持部材
７６−２  押圧部
【図１】
0004675282.tif 000002
【図２】
0004675282.tif 000003
【図３】
0004675282.tif 000004
【図４】
0004675282.tif 000005
【図５】
0004675282.tif 000006
【図６】
0004675282.tif 000007
【図７】
0004675282.tif 000008
【図８】
0004675282.tif 000009
【図９】
0004675282.tif 000010